(57)【要約】【課題】  双眼鏡内の湿気を効率よく除湿することができ、双眼鏡内の結露の発生を有効に防止する双眼鏡を提供する。【解決手段】  双眼鏡本体を構成する収納部材内に乾燥剤を配置する。【選択図】  図５
2006010952.tif 000002
【特許請求の範囲】
【請求項１】
左右一対の対物光学系と、
前記対物光学系を保持する左右一対の対物鏡筒と、
左右一対の正立光学系と、
左右一対の接眼光学系と、
前記接眼光学系を保持する左右一対の接眼鏡筒と、
少なくとも前記対物鏡筒を収納する収納部材と
前記収納部材内に取り付けられた乾燥剤とを有する双眼鏡であって、
前記乾燥剤は板状に形成されており、
該乾燥剤は前記収納部材内の、前記一対の対物光学系の各光軸に対して平行でかつ前記各光軸を含む平面に対して任意の角度を有する位置、および前記一対の対物光学系の各光軸に対して直交しかつ前記各光軸を含む平面に対して任意の角度を有する位置の少なくとも一方の位置に設けられたことを特徴とする双眼鏡。
【請求項２】
前記乾燥剤は、少なくとも前記一対の対物光学系の各光軸の間に設けたことを特徴とする請求項１記載の双眼鏡。
【発明の詳細な説明】
【技術分野】
【０００１】
本発明は、双眼鏡本体内の湿気、曇りを除去する乾燥剤を有する双眼鏡に関するものである。
【背景技術】
【０００２】
従来から、カメラなどのレンズ鏡筒において、レンズ鏡筒内の湿気を除去し、レンズの曇りを防止するために乾燥剤が使用されている。
【０００３】
例えば、粒状の乾燥剤をパッケージしたものやタブレット状の乾燥剤をレンズ鏡筒内の空洞部またはレンズ鏡筒内部と通気したレンズ鏡筒外の収納部に交換可能に収納させた構成のものがある。
【０００４】
このようなレンズ鏡筒としては、特許文献１に開示されたものがある。特許文献１のレンズ鏡筒は、レンズ鏡筒に乾燥室を付設し、この乾燥室とレンズ鏡筒との間は、第１、第２の流通用開口により連通している。第１の流通用開口はズームレンズの第１群レンズとフォーカスレンズとの間の空間に向けて開口され、第２の流通用開口は第１群レンズと第２群レンズとの間の空間に向けて開口されている。ズームレンズを動作させると、第１、第２の開口を介して乾燥室を通過する空気の流れが生じ、空気が乾燥室内の乾燥剤に接触して乾燥機能が発揮するという構成となっている。
【０００５】
また、特許文献２には、帯状の乾燥剤をレンズ鏡筒内に配設した構成のものがある。特許文献２では、レンズ鏡筒の空洞部の内壁面に帯状の溝部を形成し、この溝部に円弧帯状の乾燥剤を嵌め入れ、固定部材により乾燥剤を固定する構成となっている。
【特許文献１】特開平  ６−２５８５６１号公報
【特許文献２】特開平１１−１５３７３５号公報
【発明の開示】
【発明が解決しようとする課題】
【０００６】
ここで、上記の特許文献１のレンズ鏡筒では、レンズ鏡筒本体に乾燥室の部分を形成する必要があり、レンズ鏡筒の外観形状が大きくなるという問題がある。また、特許文献２のレンズ鏡筒では、レンズ鏡筒の内径形状に合わせた円弧帯状の乾燥剤を成型する必要があり、コスト的に割高な乾燥剤を使用しなくてはならないという問題がある。
【０００７】
本発明は、本体の大型化を有効に防止し、双眼鏡本体内の除湿を有効に行うことのできる双眼鏡を提供することを目的としている。
【課題を解決するための手段】
【０００８】
上記の目的を達成するために、本発明は、左右一対の対物光学系と、前記対物光学系を保持する左右一対の対物鏡筒と、左右一対の正立光学系と、左右一対の接眼光学系と、前記接眼光学系を保持する左右一対の接眼鏡筒と、少なくとも前記対物鏡筒を収納する収納部材と、前記収納部材内に取り付けられた乾燥剤とを有する双眼鏡であって、前記乾燥剤は板状に形成されており、該乾燥剤は前記収納部材内の、前記一対の対物光学系の各光軸に対して平行でかつ前記各光軸を含む平面に対して任意の角度を有する第１の位置、および前記一対の対物光学系の各光軸に対して直交しかつ前記各光軸を含む平面に対して任意の角度を有する第２の位置の少なくとも一方の位置に設けられたことを特徴としている。ここで、第１の位置は各光軸の間の位置であり、この位置に板状でたとえば長方形の乾燥剤を光軸に平行（必ずしも平行ではなく非平行であってもよい）に沿わして垂直にあるいは任意の角度を持って配置することが望ましい。また第1の位置は各光軸の外側の位置であり、この位置に板状でたとえば長方形の乾燥剤を光軸に平行（必ずしも平行ではなく非平行であってもよい）で収納部材の円弧部分側に配置することが望ましい。また、第２の位置は各光軸の間、あるいは各光軸の外側、さらには各光軸の間および各光軸の外側を含む位置であり、つまりは対物光学系からの光束を遮らない位置で、各光軸に対して直交（必ずしも直交でなく非直交でもよい）しかつ前記各光軸を含む平面に対して任意の角度を有する位置であり、これらの位置に板状で円弧形状あるいはリング形状の乾燥剤を配置することができる。そして、乾燥剤は上記の第１および第２の位置の一方の位置、あるいは両方の位置に設けることが望ましい。さらに第１および第２の位置の少なくとも一方の位置と、各光軸に対して平行（必ずしも平行でなく非平行でもよい）でかつ各光軸を含む平面に対して平行（必ずしも平行でなく非平行でもよい）の位置（収納部材内の上面側や下面側）に板状の乾燥剤を配置する構成としてもよい。
【発明の効果】
【０００９】
本発明によれば、本体の大型化を有効に防止し、双眼鏡本体内の除湿を有効に行うことのできる双眼鏡を提供することができる。
【発明を実施するための最良の形態】
【００１０】
以下を本発明の実施例について図面を参照しながら説明する。
【実施例１】
【００１１】
図１は本発明を適用した双眼鏡本体を上面から見た断面図である。また図２は上記双眼鏡本体の一部断面側面図である。これらの図を用いて、本実施例における双眼鏡の光学系について説明する。
【００１２】
これらの図において、本実施例の双眼鏡の光学系は、左右一対の対物光学系１１Ｌ、１１Ｒと、補正光学系である左右一対の可変頂角プリズム１２Ｌ、１２Ｒと、左右一対の正立プリズム１３Ｌ、１３Ｒと、左右一対の接眼光学系１４Ｌ、１４Ｒとで構成されている。左側の対物光学系１１Ｌから左側の接眼光学系１４Ｌで左側の望遠光学系が構成され、右側の対物光学系１１Ｒから右側の接眼光学系１４Ｒで右側の望遠光学系が構成されている。
【００１３】
１１０Ｌは左側の望遠光学系の光軸、１１０Ｒは右側の望遠光学系の光軸を示している。対物光学系１１Ｌ、１１Ｒから入射した各光線は、光軸１１０Ｌ、１１０Ｒに沿って進み、可変頂角プリズム１２Ｌ、１２Ｒを通過し、正立プリズム１３Ｌ、１３Ｒの入射面に入射する。各光線は正立プリズム１３Ｌ、１３Ｒ内で全反射を繰り返した後、正立プリズム１３Ｌ、１３Ｒの射出面から射出し、接眼光学系１４Ｌ、１４Ｒに入射する。
【００１４】
次に、本実施例の双眼鏡の機構構成について説明する。
【００１５】
対物光学系１１Ｌ、１１Ｒはそれぞれ対物鏡筒１５Ｌ、１５Ｒに保持されている。対物鏡筒１５Ｌ、１５Ｒは対物固定筒１６Ｌ、１６Ｒにそれぞれ光軸１１０Ｌ、１１０Ｒに沿って進退自在に保持され、焦点調節可能とされている。
【００１６】
接眼光学系１３Ｌ、１３Ｒはそれぞれ接眼鏡筒１７Ｌ、１７Ｒに保持されている。接眼鏡筒１７Ｌ、１７Ｒの外周部には雄ヘリコイド１７１Ｌ、１７１Ｒが形成されており、雄ヘリコイド１７１Ｌ、１７１Ｒと後述する接眼ホルダー１８Ｌ、１８Ｒの内周に形成された雌ヘリコイド１８１Ｌ、１８１Ｒとが螺合している。これにより、接眼鏡筒１７Ｌ、１７Ｒ（接眼光学系１４Ｌ、１４Ｒ）はそれぞれ光軸１１０Ｌ、１１０Ｒに沿って進退自在に構成されており、右側の接眼光学系１４Ｒで視度調節が行えるようになっている。
【００１７】
接眼ホルダー１８Ｌ、１８Ｒは光軸方向の両側に開口部を有し、後方では接眼鏡筒１７Ｌ、１７Ｒを収納し、前方では正立プリズム１３Ｌ、１３Ｒを収納している。なお、ヘリコイド部分、各鏡筒の嵌合部分にはグリスが塗布されている。
【００１８】
正立プリズム１３Ｌ、１３Ｒは略扇状のプリズム台１９Ｌ、１９Ｒに所定の位置関係で位置決め後、接着剤等により固定している。プリズム台１９Ｌ、１９Ｒはプリズムホルダー２０Ｌ、２０Ｒに所定の位置関係で位置決め後、ビス等で固定している。
【００１９】
接眼ホルダー１８Ｌ、１８Ｒの正立プリズム１３Ｌ、１３Ｒが収容される側の開口部には、プリズムホルダー２０Ｌ、２０Ｒがシールゴム２１Ｌ、２１Ｒを介在させて取り付けられており、これにより左右一対の接眼ユニットが形成されている。
【００２０】
接眼ベース２３はアルミダイキャスト等の金属で構成され、前側に大径の開口部を有し、後側に対物光学系１１Ｌ、１１Ｒの光軸間隔で離れた摺動孔２３Ｌ、２３Ｒと、後述するフォーカスねじ３８が挿通される挿通穴２３ｂとを有する。また接眼ベース２３の前側の開口部の端面には図３に示すように、全周にわたり凹部が形成されており、この凹部にシールゴム２４がはめ込まれている。接眼ベース２３と後述する前カバーユニットとで双眼鏡本体である収納部材が構成されている。
【００２１】
双眼鏡本体を構成する収納部材となる前カバーユニットは前カバー上２５、前カバー下２６、およびフロント枠２７とで構成されている。前カバー上２５は、前カバー下２６に対してズレのないように取り付けるために、ノックピンまたは位置決めピン等を使用して取り付けている。前カバー上２５と前カバー下２６には、図３に示すように、後側端面に凸部が形成されており、この凸部と接眼ベース２３の前側端面に形成された凹部とが一致する構成で、凸部の先端がシールゴム２４を光軸方向に圧縮するように構成されている。
【００２２】
フロント枠２７Ｌ、２７Ｒには、保護ガラス２８Ｌ、２８Ｒがシールゴム２９Ｌ、２９Ｒを介して押え環３０Ｌ、３０Ｒにより保持されている。フロント枠２７Ｌ、２７Ｒは、一体となった状態の前カバー上２５と前カバー下２６に、前側からＯリング３１Ｌ、３１Ｒを介在させて取り付けられている。
【００２３】
外装カバー３２はゴム、エラストマー等の可撓性を有する材料で形成されており、その表面を滑りにくくすることにより、双眼鏡本体のホールディング性を向上させ、さらに落下等に対する耐衝撃性を向上させた構成（形状、厚さ）となっている。
【００２４】
次に、本実施例の双眼鏡の眼幅調整機構について説明する。
【００２５】
接眼ユニットは、図４に示すように、略対称な左右一対の連動板３３Ｌ、３３Ｒによって、光軸１１０Ｌ、１１０Ｒを回転中心として互いに連動しながら図４に示す矢印方向に所定角度回転する構成となっている。これにより、接眼光学系１４Ｌ、１４Ｒの光軸間隔が可変（離れたり、近づいたりする）することで、眼幅調整が行えるようになっている。さらに述べると、連動板３３Ｌ、３３Ｒは、接眼ベース２３の後側に設けられた摺動孔２３Ｌ、２３Ｒの前側に設けられ、プリズムホルダー２０Ｌ、２０Ｒは摺動孔２３Ｌ、２３Ｒの後側にＯリング３４Ｌ、３４Ｒを介して設けられている。プリズムホルダー２０Ｌ、２０Ｒの前側端部には、連動板取付け用のフランジ部が形成されており、これに連動板３３Ｌ、３３Ｒが位置決めされた後、ビス等によって取り付けられている。連動板３３Ｌ、３３Ｒには、ギア部３３１Ｌ、３３１Ｒが形成されており、これらのギア部３３１Ｌ、３３１Ｒを所定の位相関係で互いに噛合わせることで、左側の連動板３３Ｌと右側の連動板３３Ｒとが連動され、この連動機構により両接眼光学系の各々の光軸の間隔を可変させることが可能となる。
【００２６】
さらに、連動板３３Ｌ、３３Ｒの外周部には複数の屈曲部３３２Ｌ、３３２Ｒが形成されている。屈曲部３３２Ｌ、３３２Ｒは、連動板３３Ｌ、３３Ｒをプリズムホルダー２０Ｌ、２０Ｒに取り付けたときに、接眼ベース２３の保持面２３ａと当接し、適度な反発力を発生し、眼幅調整時に適度な回転負荷を発生する構成となっている。
【００２７】
次に、焦点調節機構について説明する。
【００２８】
本体３５は、接眼ベース２３と同様にアルミダイキャスト等の金属部材で構成され、光軸１１０Ｌ、１１０Ｒを含む平面に対して平行な水平部と、光軸１１０Ｌ、１１０Ｒを含む平面に対して直交し略半円形状に形成された垂直部とを有する。本体３５の水平部には、複数のボスが設けられており、これらのボスにより後述するフォーカス連動板３６の高さ方向の規制を行うとともに、焦点調節を行う際にフォーカス連動板３６が光軸方向に移動するときの摺動面となる。また本体３５は、フォーカス連動板３６が光軸方向に移動を行う際のガイドとなるフォーカスガイド３７を取り付ける取付け部を有している。本体３５の垂直部には、対物固定筒１６Ｌ、１６Ｒの後端部に設けたフランジ部１６１Ｌ、１６１Ｒを用いて対物固定筒１６Ｌ、１６Ｒを取り付けている。
【００２９】
フォーカス連動板３６は、ＳＵＳ、ＳＰＣＣ等の金属部材で構成され、光軸１１０Ｌ、１１０Ｒを含む平面に対して平行な水平部と、光軸１１０Ｌ、１１０Ｒを含む平面に対して直交する垂直部とを有している。フォーカス連動板３６の水平部には、複数の略矩形状の穴部が設けられており、フォーカスガイド３７と摺動可能となっている。フォーカス連動板３６の垂直部には、回転保持孔３６ａが設けられており、垂直部にはフォーカスねじ３８に螺合されたナット３９が取り付けられておりフォーカスねじ３８を所定の位置で回転自在に保持する。フォーカスねじ３８の後端部には、フォーカスダイアル４０が取り付けられ、光軸方向の抜け止めを兼ねている。フォーカスねじ３８は接眼ベース２３に対して固定位置で回転し、フォーカスねじ３８のねじ部はフォーカス連動板３６に固定されたナット３９に螺合されている。したがってフォーカスダイアル４０を回転させることにより、フォーカス連動板３６を接眼ベース２３に対して光軸方向に進退させることができるように構成されている。フォーカス連動板３６の先端には、フォーカス連動補助板４１Ｌ、４１Ｒが左右一体に取り付けられている。フォーカス連動補助板４１Ｌ、４１Ｒは対物固定筒１６Ｌ、１６Ｒの外周面に設けた略長方形の穴部１６２Ｌ、１６２Ｒを介して対物鏡筒１５Ｌ、１５Ｒに設けた係止部１５１Ｌ、１５１Ｒに係止されている。
【００３０】
このような構成により、フォーカスダイアル４０を回転させることによって、対物鏡筒１５Ｌ、１５Ｒが対物固定筒１６Ｌ、１６Ｒ内で光軸方向に進退される。
【００３１】
次に、防振ユニットについて簡単に説明する。
【００３２】
防振ユニットは双眼鏡本体の振れを検出する振れ検出センサ（図示省略）と、振れ検出センサからの出力信号に基づいて可変頂角プリズム１２Ｌ、１２Ｒを駆動する駆動制御部（図示省略）とで構成され、振れ検出センサからの出力信号に基づいて可変頂角プリズム１２Ｌ、１２Ｒを駆動して対物光学系１１Ｌ、１１Ｒからの光線を傾けることにより、振れを抑える構成となっている。
【００３３】
次に、乾燥剤の取付けについて説明する。
【００３４】
図２に示したように、本実施例の双眼鏡は、乾燥剤４２Ｌ、４２Ｒを収納部材を構成する前カバー上２５の内側に配設している。また本実施例における双眼鏡は、部材の接合部分、回転部分に、Ｏリング、シールゴムを配設した防滴構造としているので、小雨程度の天候での使用は可能である。ここで、防滴構造となっていても使用環境下によっては双眼鏡本体内の空気が湿度の高い状態になる可能性があり、双眼鏡内に結露を生じさせないよう乾燥剤４２Ｌ、４２Ｒを配設している。
【００３５】
一般に、防水構造の双眼鏡では、気密構造とし双眼鏡内に窒素ガスを充填させる構成としており、構造上高価な構成となっている。また、防滴構造の双眼鏡では、簡易な構造で双眼鏡内への水滴の進入を防止する構成としている。ここで、厳密には防滴構造の双眼鏡では、双眼鏡本体と外界との間で空気の循環は行われるので、湿気を含んだ空気が双眼鏡内に進入する。したがって、双眼鏡本体内に進入した湿気を効率よく除湿する必要がある。
【００３６】
そこで、本実施例の双眼鏡では、図２、図５に示したように、乾燥剤４２Ｌ、４２Ｒを光軸１１０Ｌ、１１０Ｒの間に設けている。
【００３７】
上記の乾燥剤を光軸の間に配置した理由を以下に述べる。
【００３８】
レンズ鏡筒は一般的に円筒形状をしているので、２つの円筒の中心を所定の距離だけ離して外周をつなげると、２つの円筒の中心の内側、すなわち２つの光軸の内側ならば、平坦部でつなぐことができる。つまり、本実施例で示した双眼鏡は、レンズ鏡筒とカバー部材とが別体構造となっているので、カバー部材には前述した平坦部が設けられている。したがって、平坦部に汎用の板状の乾燥剤を使用することができ、さらに乾燥剤の表面積をできる限り広く取り、除湿を効率よく行うことができる。
【００３９】
また、光軸１１０Ｌ、１１０Ｒの間には、対物固定筒１６Ｌ、１６Ｒの外周面に設けた略長方形の穴部があるので、焦点調節を行う度に対物鏡筒１５Ｌ、１５Ｒが光軸方向に進退するので空気の流れが生じ、さらに双眼鏡内の除湿を効率よく行うことが可能である。
【００４０】
以上説明したように上記の実施例における双眼鏡では、収納部材となる前カバー上２５の内側に乾燥剤を取り付ける構造であり、レンズ鏡筒内には乾燥剤を取り付けていないため、乾燥剤に付着している埃等がレンズ表面に付着することがない。また、双眼鏡本体である収納部材に特別な構造を施すことなく乾燥剤を取り付けているので、双眼鏡本体の外形形状の大型化を有効に防止することができる。さらに、汎用の板状の乾燥剤を使用しているので、コスト上昇を有効に防止することができる。また、本実施例の双眼鏡では、双眼鏡内の湿気を効率よく除湿することができ、双眼鏡内の結露の発生を有効に防止することができる。
【００４１】
なお、上述した実施例では、乾燥剤４２Ｌ、４２Ｒを前カバー上２５に設けた構成について説明したが、乾燥剤を前カバー下２６に設けた構成、あるいは乾燥剤を前カバー上２５および前カバー下２６の両方に設けた構成としてもよい。
【実施例２】
【００４２】
図６、図７は本発明の実施例２の双眼鏡を示す図である。これらの図において図１から図５に示した要素と同一の要素には同符番を付して詳細な説明を省略する。
【００４３】
図６、図７において、４３Ｌ、４３Ｒは板状でかつリング状に形成された乾燥剤を示している。乾燥剤４３Ｌ、４３Ｒは、左右の連動板３３Ｌ、３３Ｒに沿わせて取り付けられている。
【００４４】
これにより実施例１の構成と同様に、双眼鏡内の湿気を効率よく除湿することができ、双眼鏡内の結露の発生を有効に防止することができる。
【００４５】
なお、本発明は上記の実施例に限定されるものではなく、乾燥剤を以下のように配置する構成としてもよい。乾燥剤は収納部材内の、一対の対物光学系の各光軸に対して平行でかつ各光軸を含む平面に対して任意の角度を有する第１の位置、および一対の対物光学系の各光軸に対して直交しかつ各光軸を含む平面に対して任意の角度を有する第２の位置の少なくとも一方の位置に設ける構成としてもよい。ここで、第１の位置は各光軸の間の位置であり、この位置に板状でたとえば長方形の乾燥剤を光軸に平行（必ずしも平行ではなく非平行であってもよい）に沿わして垂直にあるいは任意の角度を持って配置する構成とすることができる。また第1の位置は各光軸の外側の位置であり、この位置に板状でたとえば長方形の乾燥剤を光軸に平行（必ずしも平行ではなく非平行であってもよい）で収納部材内の円弧部分側に配置する構成とすることができる。また、第２の位置は各光軸の間、あるいは各光軸の外側、さらには各光軸の間および各光軸の外側を含む位置であり、つまりは対物光学系からの光束を遮らない位置で、各光軸に対して直交（必ずしも直交でなく非直交でもよい）し、かつ各光軸を含む平面に対して任意の角度を有する位置であり、これらの位置に板状で円弧形状あるいはリング形状の乾燥剤を配置する構成とすることができる。そして、乾燥剤は上記の第１および第２の位置の一方の位置、あるいは両方の位置に設けることが望ましい。さらに第１および第２の位置の少なくとも一方の位置と、各光軸に対して平行（必ずしも平行でなく非平行でもよい）でかつ各光軸を含む平面に対して平行（必ずしも平行でなく非平行でもよい）の位置（収納部材内の上面側や下面側）に板状の乾燥剤を配置する構成としてもよい。
【００４６】
以上説明したように上記の実施例における双眼鏡では、双眼鏡本体である収納部材に特別な構造を施すことなく収納部材の空間（空きスペース）に沿わせて乾燥剤を取り付けているので、双眼鏡本体の外形形状の大型化を有効に防止することができる。また、双眼鏡内の湿気を効率よく除湿することができ、双眼鏡内の結露の発生を有効に防止することができる。
【図面の簡単な説明】
【００４７】
【図１】本発明の実施例１を示す双眼鏡の上面断面図。
【図２】実施例１の双眼鏡の一部断面側面図。
【図３】実施例１の双眼鏡の一部を拡大した断面図。
【図４】実施例１の双眼鏡の眼幅調整機構を説明するための図。
【図５】実施例１の双眼鏡の上面断面図。
【図６】実施例２の双眼鏡の上面断面図。
【図７】実施例２の一部断面側面。
【符号の説明】
【００４８】
１１Ｌ、１１Ｒ  対物光学系
１１０Ｌ、１１０Ｒ  光軸
１３Ｌ、１３Ｒ  正立プリズム
１４Ｌ、１４Ｒ  接眼光学系
１５Ｌ、１５Ｒ  対物鏡筒
１７Ｌ、１７Ｒ  接眼鏡筒
２０Ｌ、２０Ｒ  プリズムホルダー
２３  接眼ベース（収納部材）
２５  前カバー上（収納部材）
２６  前カバー下（収納部材）
２７Ｌ、２７Ｒ  フロント枠
【図１】
2006010952.tif 000003
【図２】
2006010952.tif 000004
【図３】
2006010952.tif 000005
【図４】
2006010952.tif 000006
【図５】
2006010952.tif 000007
【図６】
2006010952.tif 000008
【図７】
2006010952.tif 000009